(57)【要約】【課題】  本発明の免震揺動フロアは、床板保持構造部が免震装置を介して基礎床上に支持されており、床材が地震発生時に床板保持構造部の揺動に伴って振幅幅内へ移動し、床材が移動した位置から元の位置へ復元するように構成した免震揺動フロアに関する。【解決手段】  床板保持構造部が免震装置を介して基礎床上に支持されており、地震発生時に床板保持構造部の揺動に伴って地震発生時の振幅巾内へ移動し、移動した床板が移動した位置から元の位置へ復元するように構成したことを特徴とし、床板保持構造部が大引材と根太材とを井桁状に組み合わせて相互に固定して形成されていることを特徴とし、且つ、床板保持構造部の下部に設置される免震装置が、球体保持部で保持された球体がベースプレート上で転動する構造、又はベースプレート上を滑動体が滑動する構造、又は揺動調整転動体が下皿部材および上皿部材間に保持された構造で構成されていることを特徴とする免震揺動フロアを提供する。【選択図】図１
2015068161.tif 000002
【特許請求の範囲】
【請求項１】
床板保持構造部が免震装置を介して基礎床上に支持されており、地震発生時に床板保持構造部の揺動に伴って地震発生時の振幅巾内へ移動し、移動した床板が移動した位置から元の位置へ復元するように構成したことを特徴とする免震揺動フロア。
【請求項２】
床板保持構造部が大引材と根太材とを井桁状に組み合わせて相互に固定して形成されていることを特徴とする請求項１記載の免震揺動フロア。
【請求項３】
床板保持構造部の下部に設置される免震装置が、球体保持部で保持された球体がベースプレート上で転動する構造、又はベースプレート上を滑動体が滑動する構造、又は揺動調整転動体が下皿部材および上皿部材間に載置された構造で構成されていることを特徴とする請求項１記載の免震揺動フロア。
【請求項４】
根太材先端の筒状部にスプリングを介して挿入された伸縮材が設けられ、該スプリングが揺動した床材を元の位置に押圧するように構成したことを特徴とする請求項１記載の免震揺動フロア。
【請求項５】
伸縮材の先端部に固定された係止片が建物壁材に固定された係止部に係止され、伸縮材を係止できるように構成したことを特徴とする請求項１記載の免震揺動フロア。
【請求項６】
伸縮形状組立体が、ボーダー材の下面と基礎床面との間に設置され、地震発生時の床材の揺動に応じて該伸縮形状組立体が伸縮してボーダー材を保持するように構成したことを特徴とする請求項１記載の免震揺動フロア。
【発明の詳細な説明】
【技術分野】
【０００１】  本発明の免震揺動フロアは、床板保持構造部が免震装置を介して基礎床上に支持されており、床材が地震発生時に床板保持構造部の揺動に伴って振幅幅内へ移動し、床材が移動した位置から元の位置へ復元するように構成した免震揺動フロアに関する。【０００２】  前記せる床板保持構造部は大引材と根太材とを井桁状に組み合わせて相互に固定して形成されており、根太材先端の筒状部にスプリングを介して挿入された伸縮材が設けられ、該伸縮材の先端部に固定された係止片が建物壁材に固定された係止部に係止され、揺動する床材を係止できるように構成され、且つ、伸縮形状組立体が、ボーダー材の下面とコンクリート床面との間に設置され、地震発生時の床材の揺動に応じて該伸縮形状組立体が伸縮してボーダー材を保持するように構成した免震揺動フロアに関する。
【背景技術】
【０００３】  従来、免震床構造としては種々の開発が行われており、例えば平板状の硬質板基板と滑走板をスライドさせる構造や免震床の周縁の壁材との間にウレタンフォームを備えたもの等が開示されている。
【先行技術文献】
【０００４】
【特許文献】
【特許文献１】  特開２００８−１１６０３９号公報
【特許文献２】  実開平２−５３４３７号公報
【発明の概要】
【発明が解決しようとする課題】
【０００５】  前述せる特開２００８−１１６０３９号公報では、平板状の硬質板基板と滑走板とが同じサイズで形成されており、地震発生時に平板状の硬質板基板上を滑走板がスライドして免震作用を得る構造であった。【０００６】  また、前述せる実開平２−５３４３７号公報では、免震床の周縁の壁材との間にウレタンフォームを備えたものであったが、いずれの場合も地震の発生によって振幅幅へ移動した免震床が、元の位置への復元が不充分なものであった。【０００７】  したがって、床面上の筺体等を倒壊させず、地震発生時に床材が床材周縁の振幅幅へ移動するときに、移動位置から元の位置へ復元することが必要であった。【０００８】  地震が納まった時でも床面が常に初期の状態復元して、床面上の筺体や電子機器を維持できるようにする必要があった。
【課題を解決するための手段】
【０００９】  本発明の免震揺動フロアは、床板保持構造部が免震装置を介して基礎床上に支持されており、地震発生時に床板保持構造部の揺動に伴って地震発生時の振幅巾内へ移動し、移動した床板が移動した位置から元の位置へ復元するように構成したことを特徴とし、床板保持構造部が大引材と根太材とを井桁状に組み合わせて相互に固定して形成されていることを特徴とし、床板保持構造部の下部に設置される免震装置が、球体保持部で保持された球体がベースプレート上で転動する構造、又はベースプレート上を滑動体が滑動する構造、又は揺動調整転動体が下皿部材および上皿部材間に載置された構造で構成されていることを特徴とし、根太材先端の筒状部にスプリングを介して挿入された伸縮材が設けられ、該スプリングが揺動した床材を元の位置に押圧するように構成したことを特徴とし、伸縮材の先端部に固定された係止片が建物壁材に固定された係止部に係止され、伸縮材を係止できるように構成したことを特徴とし、且つ、伸縮形状組立体が、ボーダー材の下面と基礎床面との間に設置され、地震発生時の床材の揺動に応じて該伸縮形状組立体が伸縮してボーダー材を保持するように構成したことを特徴とする免震揺動フロアを提供する。
【発明の効果】
【００１０】  本発明によれば、地震発生時に床板保持構造部と共に床材全体が揺動する構造であり、床面上の筺体等を倒壊させず、地震発生時に床材が床材周縁の地震による振幅幅へ移動するときに、移動位置から元の位置へ復元することができ、床面上の筺体や電子機器を倒壊せずに維持できるようにするものである。【００１１】  また、地震が納まった時でも床面が常に初期の状態に復元して、床面上の筺体や電子機器を維持できるように構成されている。
【図面の簡単な説明】
【００１２】
【図１】  免震揺動フロアの床材保持構造部である。
【図２】  図１の部分断面図である。
【図３】  図１の他の実施例に基づく部分断面図である。
【図４】  伸縮形状組立体の斜視図である。
【図５】  伸縮形状組立体の平面図である。
【図６】  免震揺動フロア縁部の部分断面図である。
【図７】  伸縮形状組立体の平面図である。
【図８】  免震揺動フロア縁部の部分断面図である。
【図９】  伸縮形状組立体の平面図である。
【図１０】  免震揺動フロア縁部の部分断面図である。
【発明を実施するための形態】
【００１３】  図１乃至図３に示すように、床材８を保持する床板保持構造部７が大引材８と根太材４とを井桁状に組み合わせて相互に固定して形成されている。
【００１４】  床板保持構造部７が免震装置５を介して基礎床１上に支持されており、地震発生時に床板保持構造部７の揺動に伴って地震発生時の振幅巾ｌ内へ移動し、移動した床板８が移動した位置から元の位置へ復元するように構成されている。
【００１５】  大引材３と根太材４とを図１に示すように井桁状に組み合わせて相互に固定して形成された床板保持構造部７の下部に設置される免震装置５は、図２に示すように、球体保持部１４で保持された球体５１がベースプレート１５上で転動する構造、又は図３に示すように、ベースプレート１２上を滑動体５２が滑動する構造、又は図６，８，１０に示すように、揺動調整転動体５３が下皿部材５５および上皿部材５４間に保持された構造で構成されている。
【００１６】  図１乃至図３に示すように、根太材４先端の筒状部４１にスプリング４４を介して挿入された伸縮材４２が設けられ、該スプリング４４が揺動した床材８を元の位置に押圧するように構成されている。
【００１７】  伸縮材４２の先端部に固定された係止片４３が建物壁材に固定されたストッパー６に係止され、伸縮材４２を係止できるように構成されている。
【００１８】  また、図４，５，７，９に示すような伸縮形状組立体１０が、図６，８，１０に示すように、ボーダー材１１の下面と基礎床１との間に設置され、地震発生時の床材８の揺動に応じて該伸縮形状組立体１０が伸縮してボーダー材１１を保持することができる。
【００１９】  図５及び図６では、免震装置５の揺動調整移動体５３を保持する下皿部材５５および上皿部材５４が移動していない状態を示しており、したがって床材８は定位置にあり、伸縮形状組立体１０も定位置にあって伸縮状態になっておらず、伸縮形状組立体１０がボーダー材１１を支えている。
【００２０】  図８では、免震装置５の揺動調整移動体５３を保持する下皿部材５５および上皿部材５４が移動して床材８が矢印Ａの方向に移動しており、伸縮形状組立体１０は壁２に対して圧縮された状態になっている。
【００２１】  伸縮形状組立体１０が壁２に対して圧縮された状態の平面図は図７のようになっており、この状態で伸縮形状組立体１０がボーダー材１１を支えている。
【００２２】  図１０では、免震装置５の揺動調整移動体５３を保持する下皿部材５５および上皿部材５４が移動して床材８が矢印Ｂの方向に移動しており、伸縮形状組立体１０は壁２から引き伸ばされた状態になっている。
【００２３】  伸縮形状組立体１０が壁２から引き伸ばされた状態の平面図は図９のようになっており、この状態で伸縮形状組立体１０がボーダー材１１を支えている。
【００２４】  地震発生時に床材８が大きく揺動した場合でも、ボーダー材１１の壁側先端部は壁材２に設けられたストッパー６に係止されているので、地震振幅巾ｌ部分の上面は空隙にならずに常に被覆されている。
【符号の説明】
【００２５】  １  基礎床
２  壁材
３  大引材
４  根太材
４１  孔部
４２  伸縮材
４３  係止片
４４  スプリング
５  免震装置
５１  球体
５２  滑動体
５３  揺動調整転動体
５４  上皿部材
５５  板皿部材
７  床材保持構造部
６  ストッパー
８  床材
８１  ボーダー材
９  ストッパー
１０  伸縮形状組立体
１１  ボーダー材
１２  ベースプレート
１３  傾斜部
１４  球体保持部
１５  ベースプレート
ｌ  地震振幅巾
【図１】
2015068161.tif 000003
【図２】
2015068161.tif 000004
【図３】
2015068161.tif 000005
【図４】
2015068161.tif 000006
【図５】
2015068161.tif 000007
【図６】
2015068161.tif 000008
【図７】
2015068161.tif 000009
【図８】
2015068161.tif 000010
【図９】
2015068161.tif 000011
【図１０】
2015068161.tif 000012